(57)【要約】【課題】１つの信号の位相を回転つまり調整することができる１つのシステムを提供すること。【解決手段】１つのシステムにおいて、１つの信号の１つの第１成分のフィルタ処理された表現とフィルタ処理されていない表現とに基づき、また前記信号の１つの第２成分のフィルタ処理された表現とフィルタ処理されていない表現とに基づき、前記信号の位相を調整するように構成されている１つの位相補償器と、前記位相補償器の１つまたは複数の出力部に通信可能に結合され、前記第１および第２成分に１つの符号シーケンスを組み合わせて１つのチャネルのエネルギーの１つの大きさを求めるように構成されている１つの検出器と、を含むことを特徴とするシステム。
2006503499.tif 000002
【特許請求の範囲】
【請求項１】
１つのシステムにおいて、
１つの信号の１つの第１成分のフィルタ処理された表現とフィルタ処理されていない表現とに基づき、また前記信号の１つの第２成分のフィルタ処理された表現とフィルタ処理されていない表現とに基づき、前記信号の位相を調整するように構成されている１つの位相補償器と、
前記位相補償器の１つまたは複数の出力部に通信可能に結合され、前記第１および第２成分に１つの符号シーケンスを組み合わせて１つのチャネルのエネルギーの１つの大きさを求めるように構成されている１つの検出器と、を含むことを特徴とするシステム。
【請求項２】
請求項１に記載のシステムであって、前記第１成分が、次式にほぼ従う１つの同相成分であるシステム。
Ｉ＝（ＩＵｎｆｉｌｔｅｒｅｄ・Ｋ・ｃｏｓφ）＋（ＱＵｎｆｉｌｔｅｒｅｄ・Ｋ・ｓｉｎφ）
但し、ＩＵｎｆｉｌｔｅｒｅｄは、前記同相成分のフィルタ処理されていない１つの表現であり、Ｋ・ｃｏｓφは前記同相成分の前記フィルタ処理された表現であり、ＱＵｎｆｉｌｔｅｒｅｄは前記直交成分のフィルタ処理されていない１つの表現であり、Ｋ・ｓｉｎφは前記直交成分の前記フィルタ処理された表現である。
【請求項３】
請求項１に記載のシステムであって、前記第２成分が、次式にほぼ従う１つの直交成分であるシステム。
Ｑ＝（ＱＵｎｆｉｌｔｅｒｅｄ・Ｋ・ｃｏｓφ）−（ＩＵｎｆｉｌｔｅｒｅｄ・Ｋ・ｓｉｎφ）
但し、ＩＵｎｆｉｌｔｅｒｅｄは、前記同相成分の前記フィルタ処理されていない表現であり、Ｋ・ｃｏｓφは前記同相成分の前記フィルタ処理された表現であり、ＱＵｎｆｉｌｔｅｒｅｄは前記直交成分のフィルタ処理されていない１つの表現であり、Ｋ・ｓｉｎφは前記直交成分の前記フィルタ処理された表現である。
【請求項４】
請求項１に記載のシステムであって、前記符号シーケンスが１つのウォルシュ符号シーケンスであるシステム。
【請求項５】
請求項１に記載のシステムであって、前記検出器が、１つの固有な符号シーケンスを発生するようにそれぞれ構成されている１つまたは複数の符号シーケンス発生器を含むシステム。
【請求項６】
請求項５に記載のシステムであって、前記検出器が、
前記複数の符号シーケンス発生器に通信可能に結合され、前記第１成分に前記複数の符号シーケンスの１つまたは複数を組み合わせて１つの組み合わされた第１成分を生成するように構成されている１つの第１乗算器と、
前記複数の符号シーケンス発生器に通信可能に結合され、前記第２成分に前記複数の符号シーケンスの１つまたは複数を組み合わせて１つの組み合わされた第２成分を生成するように構成されている１つの第２乗算器と、をさらに含むシステム。
【請求項７】
請求項６に記載のシステムであって、前記検出器が、前記組み合わされた第１成分を１つのシンボル時間にわたって合計して１つの第１シンボルレベルデータを生成するために、また前記組み合わされた第２成分を１つのシンボル時間にわたって合計して１つの第２シンボルレベルデータを生成するために、前記第１および第２の乗算器に通信可能に結合されている１つのアキュムレータをさらに備えるシステム。
【請求項８】
請求項１に記載のシステムであって、前記検出器が、前記第１および第２成分に複数のウォルシュ符号シーケンスを組み合わせて１つまたは複数の固有なチャネルのエネルギーの複数の大きさを求めるように構成されている１つの高速ウォルシュ変換要素を含むシステム。
【請求項９】
１つの信号の位相を調整する１つの方法において、前記信号の位相調整された１つの第１成分を生成するステップであって、
前記信号のフィルタ処理されていない１つの第１成分に前記信号のフィルタ処理された１つの第１成分を掛けて１つの第１の積を用意するステップと、
前記信号のフィルタ処理されていない１つの第２成分に前記信号のフィルタ処理された１つの第２成分を掛けて１つの第２の積を用意するステップと
乗算ステップに応動して、前記第１および第２の積を組み合わせて前記位相調整された１つの第１成分を生成するステップと、を含む前記位相調整された第１成分を生成するステップと、前記信号の位相調整された１つの第２成分を生成するステップであって、
前記フィルタ処理されていない第２成分に前記フィルタ処理された第１成分を掛けて１つの第３の積を生成するステップと、
前記フィルタ処理されていない第１成分に前記フィルタ処理された第２成分を掛けて１つの第４の積を生成するステップと、
乗算ステップに応動して、前記第３および第４の積を組み合わせて前記位相調整された１つの第２成分を生成するステップと、を含む前記位相調整された第２成分を生成するステップと、を含み、前記位相調整された第１成分を生成するステップと前記位相調整された第２成分を生成するステップとによって前記信号の前記位相を調整することを特徴とする方法。
【請求項１０】
請求項９に記載の方法であって、前記第１および第２の積を組み合わせるステップが、前記第１の積を前記第２の積に加算するステップを含む方法。
【請求項１１】
請求項１０に記載の方法であって、加算ステップが、ほぼ次の形態を有する前記位相調整された第２成分を用意するステップを含む方法。
Ｉ＝（ＩＵｎｆｉｌｔｅｒｅｄ・Ｋ・ｃｏｓφ）＋（ＱＵｎｆｉｌｔｅｒｅｄ・Ｋ・ｓｉｎφ）
但し、ＩＵｎｆｉｌｔｅｒｅｄは、前記同相成分のフィルタ処理されていない１つの表現であり、Ｋ・ｃｏｓφは前記同相成分の前記フィルタ処理された表現であり、ＱＵｎｆｉｌｔｅｒｅｄは前記直交成分のフィルタ処理されていない１つの表現であり、Ｋ・ｓｉｎφは前記直交成分の前記フィルタ処理された表現である。
【請求項１２】
請求項９に記載の方法であって、前記第３および第４の積を組み合わせるステップが前記第３の積から前記第４の積を減算するステップを含む方法。
【請求項１３】
請求項１２に記載の方法であって、減算ステップが、ほぼ次の形態を有する前記位相調整された第２成分を用意するステップを含む方法。
Ｑ＝（ＱＵｎｆｉｌｔｅｒｅｄ・Ｋ・ｃｏｓφ）−（ＩＵｎｆｉｌｔｅｒｅｄ・Ｋ・ｓｉｎφ）
但し、ＩＵｎｆｉｌｔｅｒｅｄは、前記同相成分の前記フィルタ処理されていない表現であり、Ｋ・ｃｏｓφは前記同相成分の前記フィルタ処理された表現であり、ＱＵｎｆｉｌｔｅｒｅｄは前記直交成分のフィルタ処理されていない１つの表現であり、Ｋ・ｓｉｎφは前記直交成分の前記フィルタ処理された表現である。
【請求項１４】
請求項９に記載の方法であって、前記位相調整された第１成分を生成するステップが、
前記第１および第２の積を１つの総和要素にほぼ同時にラッチするステップを含む方法。
【請求項１５】
請求項９に記載の方法であって、前記位相調整された第２成分を生成するステップが、
前記第３および第４の積を１つの減算要素ほぼ同時にラッチするステップを含む方法。
【請求項１６】
の信号の位相を調整する１つのシステムであって、
前記信号の位相調整された１つの第１成分を生成する手段であって、
前記信号のフィルタ処理されていない１つの第１成分に前記信号のフィルタ処理された１つの第１成分を掛けて１つの第１の積を用意する手段と、
前記信号のフィルタ処理されていない１つの第２成分に前記信号のフィルタ処理された１つの第２成分を掛けて１つの第２の積を用意する手段と、
乗算ステップに応動して、前記第１および第２の積を組み合わせて前記位相調整された１つの第１成分を生成する手段と、を含む前記位相調整された第１成分を生成する手段と、
前記信号の位相調整された１つの第２成分を生成する手段であって、前記フィルタ処理されていない第２成分に前記フィルタ処理された第１成分を掛けて１つの第３の積を用意する手段と、
前記フィルタ処理されていない第１成分に前記フィルタ処理された第２成分を掛けて１つの第４の積を用意する手段と、
乗算に応動して、前記第３および第４の積を組み合わせて前記位相調整された１つの第２成分を生成する手段と、を含む前記位相調整された第２成分を生成する手段と、を含み、前記位相調整された第１成分を生成する手段と前記位相調整された第２成分を生成する手段とによって、前記信号の前記位相を調整するシステム。
【請求項１７】
請求項１６に記載のシステムであって、前記第１および第２の積を組み合わせる前記手段が、前記第１の積を前記第２の積に加算する手段を含むシステム。
【請求項１８】
請求項１７に記載のシステムであって、前記加算手段が、ほぼ次の形態を有する前記位相調整された第２成分を用意する手段を含むシステム。
Ｉ＝（ＩＵｎｆｉｌｔｅｒｅｄ・Ｋ・ｃｏｓφ）＋（ＱＵｎｆｉｌｔｅｒｅｄ・Ｋ・ｓｉｎφ）
但し、ＩＵｎｆｉｌｔｅｒｅｄは、前記同相成分のフィルタ処理されていない１つの表現であり、Ｋ・ｃｏｓφは前記同相成分の前記フィルタ処理された表現であり、ＱＵｎｆｉｌｔｅｒｅｄは前記直交成分のフィルタ処理されていない１つの表現であり、Ｋ・ｓｉｎφは前記直交成分の前記フィルタ処理された表現である。
【請求項１９】
請求項１６に記載のシステムであって、前記第３および第４の積を組み合わせる前記手段が、前記第３の積から前記第４の積を減算する手段を含むシステム。
【請求項２０】
請求項１９に記載のシステムであって、前記減算手段が、ほぼ次の形態を有する前記位相調整された第２成分を用意する手段を含むシステム。
Ｑ＝（ＱＵｎｆｉｌｔｅｒｅｄ・Ｋ・ｃｏｓφ）−（ＩＵｎｆｉｌｔｅｒｅｄ・Ｋ・ｓｉｎφ）
但し、ＩＵｎｆｉｌｔｅｒｅｄは前記同相成分の前記フィルタ処理されていない表現であり、Ｋ・ｃｏｓφは前記同相成分の前記フィルタ処理された表現であり、ＱＵｎｆｉｌｔｅｒｅｄは前記直交成分のフィルタ処理されていない１つの表現であり、Ｋ・ｓｉｎφは前記直交成分の前記フィルタ処理された表現である。
【請求項２１】
請求項１６に記載のシステムであって、前記位相調整された第１成分を生成する前記手段が、前記第１および第２の積をほぼ同時に１つの総和要素にラッチする手段を含むシステム。
【請求項２２】
請求項１６に記載のシステムであって、前記位相調整された第１成分を生成する前記手段が、前記第３および第４の積をほぼ同時に１つの減算要素にラッチする手段を含むシステム。
【請求項２３】
１の信号を処理する１つの方法において、
前記信号の１つの第１成分の位相を複数の乗算によって調整することによって位相調整された１つの第１成分を生成するステップであって、複数の乗算の複数のオペランドとして前記第１成分のフィルタ処理された表現とフィルタ処理されていない表現とを含み、また前記信号の１つの第２成分のフィルタ処理された表現とフィルタ処理されていない表現とを含むステップと、
前記第２成分の位相を複数の乗算によって調整することによって位相調整された１つの第２成分を生成するステップであって、複数の乗算の複数のオペランドとして前記第１成分の前記フィルタ処理された表現と前記フィルタ処理されていない表現とを含み、また前記第２成分の前記フィルタ処理された表現と前記フィルタ処理されていない表現とを含むステップと、
前記位相調整された第１成分と前記位相調整された第２成分とに１つの符号シーケンスを組み合わせて１つのチャネルのエネルギーの１つの大きさを求めるステップと、を含むことを特徴とする方法。
【請求項２４】
請求項２３に記載の方法であって、前記第１成分の前記位相を調整するステップが、前記複数の乗算によって生成された複数の積を加算することによって、ほぼ次の形態を有する前記位相調整された第１成分を生成する方法。
Ｉ＝（ＩＵｎｆｉｌｔｅｒｅｄ・Ｋ・ｃｏｓφ）−（ＱＵｎｆｉｌｔｅｒｅｄ・Ｋ・ｓｉｎφ）
但し、ＩＵｎｆｉｌｔｅｒｅｄは前記同相成分のフィルタ処理されていない１つの表現であり、Ｋ・ｃｏｓφは前記同相成分の前記フィルタ処理された表現であり、ＱＵｎｆｉｌｔｅｒｅｄは前記直交成分のフィルタ処理されていない１つの表現であり、Ｋ・ｓｉｎφは前記直交成分の前記フィルタ処理された表現である。
【請求項２５】
請求項２３に記載の方法であって、前記第２成分の前記位相を調整するステップが、前記複数の乗算によって生成された複数の積を加算することによって、ほぼ次の形態を有する前記位相調整された第２成分を生成する方法。
Ｑ＝（ＱＵｎｆｉｌｔｅｒｅｄ・Ｋ・ｃｏｓφ）−（ＩＵｎｆｉｌｔｅｒｅｄ・Ｋ・ｓｉｎφ）
但し、ＩＵｎｆｉｌｔｅｒｅｄは前記同相成分の前記フィルタ処理されていない表現であり、Ｋ・ｃｏｓφは前記同相成分の前記フィルタ処理された表現であり、ＱＵｎｆｉｌｔｅｒｅｄは前記直交成分のフィルタ処理されていない１つの表現であり、Ｋ・ｓｉｎφは前記直交成分の前記フィルタ処理された表現である。
【請求項２６】
１つのシステムにおいて、
１つの信号の第１および第２成分を逆拡散するように構成されている１つの逆拡散器と、
前記逆拡散器に通信可能に結合され、前記信号の前記第１および第２成分をフィルタ処理することによって前記第１成分のフィルタ処理された１つの表現と前記第２成分のフィルタ処理された１つの表現とを生成するように構成されている１つのフィルタバンクと、
前記逆拡散器と前記フィルタバンクとに結合され、前記第１および第２成分のそれぞれの前記フィルタ処理された表現に基づき、また前記第１および第２成分のそれぞれのフィルタ処理されていない表現に基づき、前記信号の位相を調整するように構成されている１つの位相補償器と、を含むことを特徴とするシステム。
【発明の詳細な説明】
【技術分野】
【０００１】
本願は、先に提出された米国特許出願第６０／４１８，１８８号仮出願（２００２年１０月１５日提出）の先行出願日の利益を主張するものである。また、本願は、本出願と同時に提出された、同一出願人の同時継続出願である米国特許出願第＃＃／＃＃＃，＃＃＃号（２００２年１０月１５日提出の米国特許仮出願第６０／４１８，１８７号）に関連する。上記の複数の開示内容のそれぞれを本願明細書に引用したものとする。
【背景技術】
【０００２】
１．発明の分野
本発明は全般的に複数の通信方式に関する。より具体的には、本発明は１つの符号分割多元接続（「ＣＤＭＡ」）信号または１つの広帯域ＣＤＭＡ信号（「ＷＣＤＭＡ」）などの１つのスペクトラム拡散信号の位相の調整に関する。ＣＤＭＡ信号方式およびＷＣＤＭＡ信号方式は、当業者には周知である。
【０００３】
２．関連技術の説明
携帯電話業界で使われている複数のスペクトラム拡散ＣＤＭＡ方式などの複数の通信方式は、さまざまな変調方式を使用する。このような複数の変調方式の複数の例として、四相位相偏移変調（「ＱＰＳＫ」）および二相位相偏移変調（「ＢＰＳＫ」）が挙げられる。当業者は、ＱＰＳＫ変調方式およびＢＰＳＫ変調方式を容易に理解できる。これら複数のスペクトラム拡散方式によって送信される複数の信号は、無線周波数（「ＲＦ」）の１つの部分スペクトラムにわたって拡散されたデジタルデータを運ぶ。たとえば、送信される複数のＣＤＭＡ信号は、擬似ランダム（「ＰＮ」）データが散りばめられた、つまり「拡散された」デジタルデータを、一般に元のデータ転送速度よりはるかに速い１つのデータ転送速度で運ぶ。したがって、元のデータは、元のスペクトラムより大きい１つのスペクトラムにわたって拡散される。１つの通信信号を拡散するために用いられる複数のＰＮ符号は当業者には周知である。
【０００４】
携帯電話業界で使われているような１つの基地局は、１つのＣＤＭＡ信号を１台の携帯電話などの１つの加入者装置に送信する。信号自体は、１つの同相成分と１つの直交成分とを含む１つのＱＰＳＫ信号でもよく、これらの成分はそれぞれＩ成分およびＱ成分としても公知である。これらのＩ成分およびＱ成分の両方または一方によってデジタルデータを送信しうる。受信側加入者装置では、データを拡散するときに用いたＰＮ符号をＩおよびＱに組み合わせることによって、このデータを逆拡散する。これによって、加入者装置はこのデータを抽出し、これを１つの所望のフォマット、たとえば音声など、に変換する。携帯電話の例では、データの抽出時に、データを１つのウォルシュ符号シーケンスなどの１つの直交符号シーケンスに組み合わせうる。
【０００５】
たとえば、元のデータが複数のチャネルを含んでいてもよい。ここでいう１つのチャネルとは、ウォルシュ符号などの１つの直交符号によって拡散された１つの符号化ビットを指す。
【０００６】
送信側でデータを符号化するために用いた直交符号と同じ直交符号が受信側で用いられてそのデータが抽出される。
【０００７】
１つの基地局にあるような送信器は、データと共に、１つのパイロット信号として公知の１つの基準信号を送出しうる。このパイロット信号は、一般に受信データの１つの位相基準として使われる。たとえば、パイロット信号を使用してＱＰＳＫ信号の位相を１つの所定の位相象限に調整、つまり回転、することによって元のデータを正しく回復しうる。パイロット信号は一般にデータを何も運ばないので１つのゼロの並びによって符号化されるので、所定の単一の位相象限に存在する。したがって、パイロット信号が１つの不正な位相象限で検出された場合は、パイロット信号ひいては元のデータの位相を回転することによって、正しい位相象限に戻すことができる。
【０００８】
このように位相を回転する複数のアプローチは、搬送波の位相回復とも呼ばれ、業界には既存のものであるが、１つのシンボルレベルで機能し、元のデータ内の単一チャネルのデータを回復するために用いられている。たとえば、１つの従来技術の方式では、Ｉ成分およびＱ成分の逆拡散の直後に、１つの信号のＩ成分およびＱ成分のそれぞれに１つのウォルシュ符号シーケンスを組み合わせる。この方式は、データ回復の対象として選択された１つのチャネルの大きさを求めるには効率的である。ただし、複数のチャネルの大きさを求めるには、複数のウォルシュ符号が必要である。複数のウォルシュ符号の追加によって、より多くの構成要素（たとえば、複数のフィルタ、複数のアキュムレータ、および複数の乗算器）が必要になるので、システムが複雑になる。また、チャネルごとにウォルシュ符号をＩ成分およびＱ成分に掛ける必要があるので、複数のチャネルを抽出する場合は処理能力がより消費される。位相の回転によって単一チャネルのデータを抽出するために用いられる１つの方式の複数の例として、特許文献１および特許文献２およびが挙げられる。従来技術の複数の方式は、特に単一チャネルからデータを抽出するには有用であるが、複数の干渉抑圧能力はほぼ何も提供されない。上記携帯電話の複数のＣＤＭＡ方式など、複数のスペクトラム拡散方式においては、他の干渉源からの干渉を減らすために干渉抑圧が有用となりうる。このような複数の干渉源の複数の例として、選択されたチャネルの品質を劣化させる他の複数のチャネルからのエネルギーの漏洩が挙げられる。
【０００９】
漏洩は、１つの受信信号のダウン変換および／または復調の際の複数の計算誤差に起因しうる。したがって、複数の干渉抑圧受信器を使用すれば、複数のスペクトラム拡散信号内の個々のチャネルの単離および抽出が容易になる。複数の干渉抑圧受信器の複数の先行例として、特許文献３および特許文献４が挙げられ、両例は有用な背景情報を提供しうる。
【特許文献１】米国特許第５，５０６，８６５号（「８６５特許」１９９６年４月９日発行）
【特許文献２】米国特許第６，３９６，８０４号（「８０４特許」２００２年５月２８日発行）
【特許文献３】米国特許第５，９３０，２２９号（１９９９年７月２７日発行）
【特許文献４】米国特許第５，８７２，７７６号（１９９９年２月１６日発行）
【発明の開示】
【発明が解決しようとする課題】
【００１０】
従来技術のいくつかの方式による位相回転は、所与の１つの信号内の各チャネルからデータを抽出するために複数の符号シーケンスを必要とするので、複数の干渉を抑圧するには特に非効率的である。たとえば、１つの対象チャネルを単離する際に、複数の非対象チャネルのそれぞれが対象チャネルに対する１つの干渉源候補として見なされる。したがって、あらゆる潜在的干渉に対応し、データを対象チャネルから正しく抽出するには、複数の非対象チャネルを特定する必要がある。各チャネルからデータを抽出するには、チャネルごとに固有の符号シーケンスが必要であるので、データの抽出に必要な各種構成要素の追加によって、１つの受信器が本質的により複雑になる。
【００１１】
本発明は、１つの信号の位相を回転つまり調整することができる１つのシステムを提供する。
【課題を解決するための手段】
【００１２】
一実施態様において、１つのシステムは１つの位相補償器を含み、この位相補償器は信号の１つの第１成分のフィルタ処理された表現とフィルタ処理されていない表現とに基づき、また信号の１つの第２成分のフィルタ処理された表現とフィルタ処理されていない表現とに基づき、信号の位相を調整するように構成されている。たとえば、この位相補償器は、フィルタ処理されたＩ成分およびＱ成分とフィルタ処理されていないＩ成分およびＱ成分とのベクトル乗算を複数行うことによって、１つのＱＰＳＫ信号の位相調整されたＩ成分とＱ成分とを用意しうる。本システムは１つの検出器をさらに含み、この検出器は位相補償器の１つまたは複数の出力部に通信可能に結合され、第１成分および第２成分に１つの符号シーケンスを組み合わせて１つのチャネルの１つのエネルギーの大きさを求めるように構成されている。
【００１３】
本発明の一態様における１つのシステムは、１つの信号の１つの第１成分のフィルタ処理された表現とフィルタ処理されていない表現とに基づき、またその信号の１つの第２成分のフィルタ処理された表現とフィルタ処理されていない表現とに基づき、その信号の位相を調整するように構成された１つの位相補償器と、この位相補償器の１つまたは複数の出力部に通信可能に結合され、第１および第２成分に１つの符号シーケンスを組み合わせることによって１つのチャネルの１つのエネルギーの大きさを求めるように構成されている１つの検出器とを備える。本発明の別の態様において、第１成分は、次式にほぼ従う１つの同相成分である。Ｉ＝（ＩＵｎｆｉｌｔｅｒｅｄ・Ｋ・ｃｏｓφ）＋（ＱＵｎｆｉｌｔｅｒｅｄ・Ｋ・ｓｉｎφ）但し、ＩＵｎｆｉｌｔｅｒｅｄは、同相成分のフィルタ処理されていない１つの表現であり、Ｋ・ｃｏｓφは同相成分のフィルタ処理された表現であり、ＱＵｎｆｉｌｔｅｒｅｄは直交成分のフィルタ処理されていない１つの表現であり、Ｋ・ｓｉｎφは直交成分のフィルタ処理された表現である。
【００１４】
本発明の別の態様において、第２成分は次式にほぼ従う１つの直交成分である。Ｑ＝（ＱＵｎｆｉｌｔｅｒｅｄ・Ｋ・ｃｏｓφ）−（ＩＵｎｆｉｌｔｅｒｅｄ・Ｋ・ｓｉｎφ）但し、ＩＵｎｆｉｌｔｅｒｅｄは、同相成分のフィルタ処理されていない表現であり、Ｋ・ｃｏｓφは同相成分のフィルタ処理された表現であり、ＱＵｎｆｉｌｔｅｒｅｄは直交成分のフィルタ処理されていない１つの表現であり、Ｋ・ｓｉｎφは直交成分のフィルタ処理された表現である。
【００１５】
本発明の別の態様において、符号シーケンスは１つのウォルシュ符号シーケンスである。
【００１６】
本発明の別の態様において、検出器は１つまたは複数の符号シーケンス発生器を備え、各符号シーケンス発生器はそれぞれ１つの固有な符号シーケンスを発生するように構成されている。
【００１７】
本発明の別の態様において、検出器は、複数の符号シーケンス発生器に通信可能に結合され、第１成分に１つまたは複数の符号シーケンスを組み合わせて１つの組み合わされた第１成分を生成するように構成されている１つの第１乗算器と、複数の符号シーケンス発生器に通信可能に結合され、第２成分に１つまたは複数の符号シーケンスを組み合わせて１つの組み合わされた第２成分を生成するように構成されている１つの第２乗算器とをさらに備える。
【００１８】
本発明の別の態様において、検出器は１つのアキュムレータをさらに備え、このアキュムレータは第１および第２乗算器に通信可能に結合され、組み合わされた第１成分を１つのシンボル時間にわたって総和することによって１つの第１シンボルレベルデータを生成し、また組み合わされた第２成分を１つのシンボル時間にわたって総和することによって１つの第２シンボルレベルデータを生成する。
【００１９】
本発明の別の態様において、検出器は１つの高速ウォルシュ変換要素を備え、この高速ウォルシュ変換要素は、第１および第２成分に複数のウォルシュ符号シーケンスを組み合わせることによって、１つまたは複数の固有チャネルのエネルギーの複数の大きさを求めるように構成されている。
【００２０】
本発明の一態様において、１つの信号の位相を調整する１つの方法は、信号のフィルタ処理されていない１つの第１成分に信号のフィルタ処理された１つの第１成分を掛けて１つの第１の積を用意するステップと、信号のフィルタ処理されていない１つの第２成分に信号のフィルタ処理された１つの第２成分を掛けて１つの第２の積を用意するステップと、乗算に応動して第１の積と第２の積とを組み合わせて位相調整された第１成分を生成するステップと、を含む信号の位相調整された第１成分を生成するステップと、フィルタ処理されていない第２成分にフィルタ処理された第１成分を掛けて１つの第３の積を用意するステップと、フィルタ処理されていない第１成分にフィルタ処理された第２成分を掛けて１つの第４の積を用意するステップと、乗算に応動して第３の積と第４の積とを組み合わせて位相調整された第２成分を生成するステップと、を含む信号の位相調整された１つの第２成分を生成するステップと、を含み、位相調整された第１成分を生成するステップと位相調整された第２成分を生成するステップとによって信号の位相を調整する。
【００２１】
本発明の別の態様において、第１および第２の積を組み合わせるステップは、第１の積を第２の積に加算するステップを含む。
【００２２】
本発明の別の態様において、加算するステップは、ほぼ次の形態を有する位相調整された第２成分を用意するステップを含む。
Ｉ＝（ＩＵｎｆｉｌｔｅｒｅｄ・Ｋ・ｃｏｓφ）＋（ＱＵｎｆｉｌｔｅｒｅｄ・Ｋ・ｓｉｎφ）
【００２３】
但し、ＩＵｎｆｉｌｔｅｒｅｄは、同相成分のフィルタ処理されていない１つの表現であり、Ｋ・ｃｏｓφは同相成分のフィルタ処理された表現であり、ＱＵｎｆｉｌｔｅｒｅｄは直交成分のフィルタ処理されていない１つの表現であり、Ｋ・ｓｉｎφは直交成分のフィルタ処理された表現である。
【００２４】
本発明の別の態様において、第３および第４の積を組み合わせるステップは、第３の積から第４の積を減算するステップを含む。
【００２５】
本発明の別の態様において、減算するステップは、ほぼ次の形態を有する位相調整された第２成分を用意するステップを含む。
Ｑ＝（ＱＵｎｆｉｌｔｅｒｅｄ・Ｋ・ｃｏｓφ）−（ＩＵｎｆｉｌｔｅｒｅｄ・Ｋ・ｓｉｎφ）
【００２６】
但し、ＩＵｎｆｉｌｔｅｒｅｄは、同相成分のフィルタ処理されていない表現であり、Ｋ・ｃｏｓφは同相成分のフィルタ処理された表現であり、ＱＵｎｆｉｌｔｅｒｅｄは直交成分のフィルタ処理されていない１つの表現であり、Ｋ・ｓｉｎφは直交成分のフィルタ処理された表現である。
【００２７】
本発明の別の態様において、位相調整された第１成分を生成するステップは、第１の積と第２の積とを１つの総和要素にほぼ同時にラッチするステップを含む。
【００２８】
本発明の別の態様において、位相調整された第２の成分を生成するステップは、第３の積と第４の積とを１つの減算要素にほぼ同時にラッチするステップを含む。
【００２９】
本発明の一態様において、１つの信号の位相を調整する１つのシステムは、信号のフィルタ処理されていない１つの第１成分に信号のフィルタ処理された１つの第１成分を掛けて１つの第１の積を用意する手段と、信号のフィルタ処理されていない１つの第２成分に信号のフィルタ処理された１つの第２成分を掛けて１つの第２の積を用意する手段と、乗算に応動して第１および第２の積を組み合わせて位相調整された１つの第１成分を生成する手段と、を含む信号の位相調整された第１成分を生成する手段と、フィルタ処理されていない第２成分にフィルタ処理された第１成分を掛けて１つの第３の積を用意する手段と、フィルタ処理されていない第１成分にフィルタ処理された第２成分を掛けて１つの第４の積を用意する手段と、乗算に応動して第３および第４の積を組み合わせて位相調整された１つの第２成分を生成する手段と、を含む信号の位相調整された１つの第２成分を生成する手段、とを含み、位相調整された第１成分を生成するステップと位相調整された第２成分を生成するステップとによって信号の位相を調整する。
【００３０】
本発明の別の態様において、第１および第２の積を組み合わせる手段は、第１の積を第２の積に加算する手段を含む。
【００３１】
本発明の別の態様において、加算する手段は、ほぼ次の形態を有する位相調整された第２成分を用意する手段を含む。
Ｉ＝（ＩＵｎｆｉｌｔｅｒｅｄ・Ｋ・ｃｏｓφ）＋（ＱＵｎｆｉｌｔｅｒｅｄ・Ｋ・ｓｉｎφ）
【００３２】
但し、ＩＵｎｆｉｌｔｅｒｅｄは、同相成分のフィルタ処理されていない１つの表現であり、Ｋ・ｃｏｓφは同相成分のフィルタ処理された表現であり、ＱＵｎｆｉｌｔｅｒｅｄは直交成分のフィルタ処理されていない１つの表現であり、Ｋ・ｓｉｎφは直交成分のフィルタ処理された表現である。
【００３３】
本発明の別の態様において、第３および第４の積を組み合わせる手段は、第３の積から第４の積を減算する手段を含む。
【００３４】
本発明の別の態様において、減算する手段は、ほぼ次の形態を有する位相調整された第２成分を用意する手段を含む。
Ｑ＝（ＱＵｎｆｉｌｔｅｒｅｄ・Ｋ・ｃｏｓφ）−（ＩＵｎｆｉｌｔｅｒｅｄ・Ｋ・ｓｉｎφ）
【００３５】
但し、ＩＵｎｆｉｌｔｅｒｅｄは、同相成分のフィルタ処理されていない表現であり、Ｋ・ｃｏｓφは同相成分のフィルタ処理された表現であり、ＱＵｎｆｉｌｔｅｒｅｄは直交成分のフィルタ処理されていない１つの表現であり、Ｋ・ｓｉｎφは直交成分のフィルタ処理された表現である。
【００３６】
本発明の別の態様において、位相調整された第１成分を生成する手段は、第１の積と第２の積とを１つの総和要素にほぼ同時にラッチする手段を含む。
【００３７】
本発明の別の態様において、位相調整された第１成分を生成する手段は、第３の積と第４の積とを１つの減算要素にほぼ同時にラッチする手段を含む。
【００３８】
本発明の一態様において、１つの信号を処理する１つの方法は、信号の１つの第１成分の位相を複数の乗算によって調整することによって位相調整された１つの第１成分を生成するステップであって、複数の乗算の複数のオペランドとして第１成分のフィルタ処理された表現とフィルタ処理されていない表現とが含まれ、また信号の１つの第２成分のフィルタ処理された表現とフィルタ処理されていない表現とが含まれるステップと、第２成分の位相を複数の乗算によって調整することによって位相調整された１つの第２成分を生成するステップであって、複数の乗算の複数のオペランドとして第１成分のフィルタ処理された表現とフィルタ処理されていない表現が含まれ、また第２成分のフィルタ処理された表現とフィルタ処理されていない表現とが含まれるステップと、位相調整された第１成分と位相調整された第２成分とに１つの符号シーケンスを組み合わせて１つのチャネルのエネルギーの１つの大きさを求めるステップと、を含む。
【００３９】
本発明の別の態様において、第１成分の位相を調整するステップは、複数の乗算によって生成された複数の積を加算することによって、ほぼ次の形態を有する位相調整された第１成分を生成するステップを含む。
Ｉ＝（ＩＵｎｆｉｌｔｅｒｅｄ・Ｋ・ｃｏｓφ）＋（ＱＵｎｆｉｌｔｅｒｅｄ・Ｋ・ｓｉｎφ）
【００４０】
但し、ＩＵｎｆｉｌｔｅｒｅｄは、同相成分のフィルタ処理されていない１つの表現であり、Ｋ・ｃｏｓφは同相成分のフィルタ処理された表現であり、ＱＵｎｆｉｌｔｅｒｅｄは直交成分のフィルタ処理されていない１つの表現であり、Ｋ・ｓｉｎφは直交成分のフィルタ処理された表現である。
【００４１】
本発明の別の態様において、第２成分の位相を調整するステップは、複数の乗算によって生成された複数の積を加算することによって、ほぼ次の形態を有する位相調整された第２成分を生成するステップを含む。
Ｑ＝（ＱＵｎｆｉｌｔｅｒｅｄ・Ｋ・ｃｏｓφ）−（ＩＵｎｆｉｌｔｅｒｅｄ・Ｋ・ｓｉｎφ）
【００４２】
但し、ＩＵｎｆｉｌｔｅｒｅｄは、同相成分のフィルタ処理されていない表現であり、Ｋ・ｃｏｓφは同相成分のフィルタ処理された表現であり、ＱＵｎｆｉｌｔｅｒｅｄは直交成分のフィルタ処理されていない１つの表現であり、Ｋ・ｓｉｎφは直交成分のフィルタ処理された表現である。
【００４３】
本発明の一態様において、１つのシステムは、１つの信号の第１および第２成分を逆拡散するように構成されている１つの逆拡散器と、逆拡散器に通信可能に結合され、信号の第１および第２成分をフィルタ処理することによって、第１成分のフィルタ処理された１つの表現と第２成分のフィルタ処理された１つの表現とを生成するように構成されている１つのフィルタバンクと、逆拡散器とフィルタバンクとに結合され、第１成分および第２成分のフィルタ処理されたそれぞれの表現と、第１成分および第２成分のフィルタ処理されていないそれぞれの表現とに基づき、信号の位相を調整するように構成されている１つの位相補償器と、を備える。
【発明の効果】
【００４４】
１つの基地局にあるような送信器は、データと共に、１つのパイロット信号として公知の１つの基準信号を送出しうる。このパイロット信号は、一般に受信データの１つの位相基準として使われる。たとえば、パイロット信号を使用してＱＰＳＫ信号の位相を１つの所定の位相象限に調整、つまり回転、することによって元のデータを正しく回復しうる。パイロット信号は一般にデータを何も運ばないので１つのゼロの並びによって符号化されるので、所定の単一の位相象限に存在する。したがって、パイロット信号が１つの不正な位相象限で検出された場合は、パイロット信号ひいては元のデータの位相を回転することによって、正しい位相象限に戻すことができる。
【発明を実施するための最良の形態】
【００４５】
本発明はさまざまな修正および代替形態が可能であるが、本発明の複数の具体的実施形態を例として複数の図面に示してあり、ここに詳細に説明する。ただし、言うまでもないが、本発明は開示されている特定の形態に限定されるものではなく、本発明は特許請求の範囲に定義されている本発明の精神および範囲に含まれる複数の修正、複数の対応案、および複数の代替案をすべて含むものとする。
【００４６】
図１は、従来技術のシステム１００の１つのブロック図を示す。システム１００は、１つのＱＰＳＫ信号の受信されたＩデータストリームおよびＱデータストリームからデータを抽出する１つのスペクトラム拡散受信器である。システム１００は、複数のＰＮ符号を用いてＩデータストリームとＱデータストリームとを逆拡散する１つのＱＰＳＫ逆拡散器１０２を含む。逆拡散されたＩデータストリームおよびＱデータストリームは、それぞれフィルタ１０４−Ｉおよびフィルタ１０４−Ｑに供給される。フィルタ１０４−Ｉおよびフィルタ１０４−Ｑは、それぞれＩデータストリームおよびＱデータストリームをフィルタ処理する。フィルタ１０４−Ｉおよびフィルタ１０４−Ｑによってフィルタ処理された各出力は、その後、信号の搬送波位相の複数の基準として使われる。
【００４７】
逆拡散されたＩデータストリームとＱデータストリームとは、論理乗算器１０９−Ｉおよび論理乗算器１０９−Ｑにもそれぞれ供給される。乗算器１０９−Ｉおよび乗算器１０９−Ｑは、逆拡散されたＩデータストリームおよびＱデータストリームに対して、それぞれ１つのウォルシュ符号１１０を用いて１つのモジュロ２加算を行う。したがって、ウォルシュシーケンス発生器１０３は、このウォルシュ符号１１０を乗算器１０９−Ｉおよび乗算器１０９−Ｑの両方に供給する。乗算器１０９−Ｉおよび乗算器１０９−Ｑは、モジュロ２加算されたＩデータストリームおよびＱデータストリームをアキュムレータ１０５−Ｉおよびアキュムレータ１０５−Ｑにそれぞれ供給する。このような論理演算は当業者には周知である。その後、アキュムレータ１０５−Ｉおよびアキュムレータ１０５−Ｑは、乗算器１０９−Ｉおよび乗算器１０９−Ｑからそれぞれ供給された符号化されたビットを１つの所定数だけ蓄積する。複数のアキュムレータもまた当業者には公知である。アキュムレータ１０５−Ｉおよびアキュムレータ１０５−Ｑから出力されたフィルタ処理されていないＩデータストリームおよびＱデータストリームは、チャネルデータを表す。
【００４８】
フィルタ１０４−Ｉおよびフィルタ１０４−Ｑとアキュムレータ１０５−Ｉおよびアキュムレータ１０５−Ｑとは、それぞれのデータストリームをドット積モジュール１０６に転送する。「８６５特許」に記載されているように、ドット積モジュール１０６は、回転された１つのデータサンプルを生成し、このデータサンプルはその後にプロセッサ１０８によって使われる。たとえば、ドット積モジュール１０６は、Ｉ−Ｑ座標空間の１つのデータ信号ベクトルと１つのパイロット信号ベクトルとの間のドット積を生成する。ドット積は次の等式に従う。
（等式１）Ｐ・Ｄ＝(Ｐ((Ｄ(ｃｏｓθ
【００４９】
但し、Ｐはパイロット信号のベクトルであり、Ｄはデータ信号のベクトルであり、θはこの２つのベクトル間の角度である。この等式は、次のように１つのベクトル成分の形態で表すことができる。
（等式２）Ｐ・Ｄ＝ＰＩＤＩ＋ＰＱＤＱ
【００５０】
但し、下付き添字ＩおよびＱは、対応するベクトルのＩ成分およびＱ成分をそれぞれ表す。これらの等式は、ＱＰＳＫ信号の１つのシンボルレベル単位での位相回転に関する。たとえば、信号の１つのシンボルに対して位相回転が行われる。ここで、各シンボルは複数のビットを表し、たとえば１つのＱＰＳＫ信号の１つのシンボルは２つのビットで表される。
【００５１】
「８６５特許」に記載されているように、システム１００は、単一チャネルのデータの抽出には便利であるが、複数のチャネルを抽出する場合は複雑になる。「８６５特許」ではシステム１００を具体的には干渉抑圧に使っていないが、システム１００はこのような複数の用途には非効率的であり、その主な理由は検出対象のチャネルが複数存在するからである。たとえば、ウォルシュ符号１１０は、１つの特定のチャネルのために特に選択される。より多くのチャネルを検出するには、さらに多くのウォルシュ符号を実装する必要がある。このような複数のウォルシュ符号の追加によってシステム内のフィルタ、アキュムレータ、および乗算器の数が増える理由は、位相回転の前に複数のウォルシュ符号を印加するからである。
【００５２】
図２は、本発明の一実施形態によるシステム２００の１つのブロック図を示す。システム２００は、１つのＱＰＳＫ信号の１つのＩ成分のフィルタ処理された表現とフィルタ処理されていない表現とに基づき、また該信号のＱ成分のフィルタ処理された表現とフィルタ処理されていない表現とに基づき、該信号の位相を調整するように構成されている１つの位相補償器２０１を含む。たとえば、位相補償器２０１はＩ成分のフィルタ処理された１つの表現およびフィルタ処理されていない１つの表現の両方を受け取る。位相補償器２０１は、Ｑ成分のフィルタ処理された１つの表現およびフィルタ処理されていない１つの表現の両方もまた受け取る。これらのＩ成分およびＱ成分は、ＱＰＳＫの逆拡散の結果である複数のデータストリームでもよい。位相補償器２０１は、これら複数の入力のさまざまな組み合わせを乗算することによって、Ｉ成分およびＱ成分の位相を調整しうる。位相の調整に際して、位相補償器２０１は、これら複数の乗算の複数の積に基づき、位相内の１つの角度オフセット量を求めてもよい。したがって、位相補償器２０１は、未故意の複数の位相回転が解消されるように、信号を補償しうる。このような１つの補償は、１つのシンボル回転によって位相を所望の１つの象限に戻すことに相当しうる。逆拡散の後で（たとえば、図１に示すように複数のウォルシュ符号を組み合わせずに）位相調整を行えるので、位相調整が１つのチップレベル単位で行われる。１つのチップは情報の１つの基本単位であり、当業者には周知である。
【００５３】
また、システム２００は、位相補償器２０１にリンク２０３を介して通信可能に結合されている検出器２０２を含む。たとえば、リンク２０３は、位相補償器２０１によって位相調整されたＩ出力およびＱ出力を検出器２０２に転送する位相補償器２０１の１つまたは複数の出力部を表してもよい。検出器２０２は、Ｉ成分およびＱ成分を１つまたは複数の符号シーケンスに組み合わせることによって、１つまたは複数のチャネルのエネルギーの１つの大きさを求めるように構成されている。たとえば、検出器２０２は、位相補償器２０１からの位相調整されたＩ成分およびＱ成分に１つのウォルシュ符号シーケンスを組み合わせうる。このように、位相調整され（たとえば、回転され）、１つの符号シーケンスによって符号化されたＩ成分およびＱ成分を検出器２０２によって用意しうるので、処理を追加すれば、信号内の他の複数のチャネルの複数のエネルギーの大きさを求めうる。
【００５４】
システム２００は、データ抽出に有用であるばかりでなく、複数の干渉抑圧システムにおいても特に有用である。たとえば、複数の符号シーケンスを追加することによって、複数のチャネルのそれぞれのチャネルエネルギーの大きさを求めうる。
【００５５】
図１の従来技術のシステム１００とは異なり、システムをそれほど複雑にすることなく、複数の符号シーケンスをシステム２００に追加しうる。この実施形態においては、位相の調整後に、位相調整されたＩ成分およびＱ成分に複数の符号シーケンスが組み合わせられる。この結果、ＩデータストリームおよびＱデータストリームとして、位相補償器２０１によって行われる乗算の数が減る。
【００５６】
図３は、本発明の別の実施形態における１つのシステム３００の１つのブロック図を示す。この実施形態におけるシステム３００は、元のデータのＩ成分およびＱ成分を分解するために１つのチップ単位の乗算を使用する１つのスペクトラム拡散受信器を使用すると都合がよい。
【００５７】
システム３００はＱＰＳＫ逆拡散器３０１を含む。逆拡散器３０１は、Ｉ成分およびＱ成分のそれぞれのデータストリームを受信し、これらのＩストリームおよびＱストリームを逆拡散する。逆拡散後、逆拡散器３０１はこれらのデータストリームを位相補償器３０３に、直接および複数のフィルタ３０２−Ｉおよび３０２−Ｑを介して、転送する。たとえば、逆拡散器３０１は、複数のフィルタ３０２−Ｉおよび３０２−Ｑに通信可能に結合されている。複数のフィルタ３０２−Ｉおよび３０２−Ｑは、逆拡散されたＩ成分３１０およびＱ成分３１１をそれぞれフィルタ処理し、逆拡散されたＩ（３１２）成分およびＱ（３１３）成分のフィルタ処理されたそれぞれの表現を用意するように構成されている。これらのフィルタ処理された複数の表現は次の複数の等式にほぼ従う。
【００５８】
（等式３）ＩＦｉｌｔｅｒｅｄ＝Ｋ・ｃｏｓφ、但し、Ｋ・ｃｏｓφは、フィルタ処理されたＩ成分の数学的表現である。
【００５９】
（等式４）ＱＦｉｌｔｅｒｅｄ＝Ｋ・ｓｉｎφ、但し、Ｋ・ｓｉｎφは、フィルタ処理されたＱ成分の数学的表現である。一般に、係数Ｋは、基準信号（すなわち、パイロット信号）の力を表す１つのスケールファクタを示す。１つの位相ロックループ（「ＰＬＬ」）または１つのユニットスケールの位相基準を使用する一実施形態においては、Ｋをユニティ、つまり１と見なしうる。角度φは、送信された複数の値からの１つの偏移角（たとえば、意図しない位相回転）を表す１つの残留搬送波位相と見なしうる。たとえば、ダウン変換および／または復調時に発生する誤差などの計算誤差によって、信号の他の複数のチャネルから複数のエネルギーレベルが「漏れ」、角度偏移が引き起こされることがある。したがって、この角度偏移は、複数のチャネルの複数の期待エネルギーレベルからの１つの変化を表しうる。当業者は、これら複数の数学的表現の複数の展開を容易に理解されるはずである。フィルタ３０２−Ｉおよびフィルタ３０２−Ｑは、それぞれＩデータストリームおよびＱデータストリームの複数のサンプルをサンプル単位でデジタル的にフィルタ処理するデジタルフィルタでもよい。
【００６０】
位相補償器３０３は、それぞれ位相調整されたＩデータストリーム３１４およびＱデータストリーム３１５を生成する。次に、位相補償器３０３は、位相調整されたＩデータストリーム３１４およびＱデータストリーム３１５をそれぞれ乗算器３０９−Ｉおよび乗算器３０９−Ｑに転送する。次に、乗算器３０９−Ｉおよび乗算器３０９−Ｑは、ウォルシュシーケンス発生器３０４が発生した１つまたは複数のウォルシュ符号をＩデータストリーム３１４およびＱデータストリーム３１５に組み合わせる。たとえば、複数のチャネルが単離および／または抽出されるように、複数のウォルシュ符号を乗算器３０９−Ｉおよび乗算器３０９−Ｑに通信可能に結合してもよい。
【００６１】
組み合わされたＩ成分３１６およびＱ成分３１７は、その後、それぞれ乗算器３０９−Ｉおよび乗算器３０９−Ｑからアキュムレータ３０５に転送される。これに応じて、アキュムレータ３０５は、組み合わされた成分３１６および成分３１７を１つのシンボル時間にわたって蓄積つまり総和することによってシンボルレベルのデータを生成する。このシンボルレベルのデータは最終的にプロセッサ３０６によって処理されるが、プロセッサ３０６は、信号内のさまざまなチャネルのそれぞれのエネルギーレベルの大きさ、および／または信号内の複数の位相オフセットを判定してもよい。
【００６２】
システム３００の１つの具体的詳細レベルに関して説明してきたが、システム３００の実施形態はこの説明に限定されるものではなく、添付の請求の範囲によってのみ制限されるものである。
【００６３】
たとえば、単一チャネルのデータ回復のために使われる一実施形態においては、単一のウォルシュ発生器を使用しうる。
【００６４】
図４は、本発明の一実施形態における１つの位相補償器４００の１つのブロック図を示す。位相補償器４００は、１つの信号の位相を調整するために、図３の位相補償器３０３と同様の方法で使用しうる。この典型的実施形態においては、ＩデータストリームおよびＱデータストリームのそれぞれのフィルタ処理された表現およびフィルタ処理されていない表現をラッチするために複数のラッチ４０２〜４０８が用いられ、各ラッチ４０２〜４０８は同じラッチイネーブル信号ＬＡＴＣＨ  ＥＮＡＢＬＥの受信とほぼ同時にラッチを行う。
【００６５】
ＩデータストリームおよびＱデータストリームは、複数の乗算器４１０〜４１６にラッチされ、複数の入力信号のさまざまな積が生成される。たとえば、乗算器４１０は１つの積（ＩＵｎｆｉｌｔｅｒｅｄ・Ｋ・ｓｉｎφ）を生成し、乗算器４１２は１つの積（ＩＵｎｆｉｌｔｅｒｅｄ・Ｋ・ｃｏｓφ）を生成し、乗算器４１４は１つの積（ＱＵｎｆｉｌｔｅｒｅｄ・Ｋ・ｃｏｓφ）を生成し、乗算器４１６は１つの積（ＱＵｎｆｉｌｔｅｒｅｄ・Ｋ・ｓｉｎφ）を生成する。これらの４つの積は、次に複数のラッチ４１８〜４２４を介して、減算器４２６および加算器４２８にラッチされる。減算器４２６および加算器４２８は、これら複数の積を組み合わせることによって、次の複数の等式に従う位相調整されたＩ成分およびＱ成分を生成する。
（等式５）Ｉ＝（ＩＵｎｆｉｌｔｅｒｅｄ・Ｋ・ｃｏｓφ）＋（ＱＵｎｆｉｌｔｅｒｅｄ・Ｋ・ｓｉｎφ）
（等式６）Ｑ＝（ＱＵｎｆｉｌｔｅｒｅｄ・Ｋ・ｃｏｓφ）−（ＩＵｎｆｉｌｔｅｒｅｄ・Ｋ・ｓｉｎφ）
【００６６】
これらの位相調整されたＩ成分およびＱ成分は、図３の位相調整器３０３によって生成されたＩ成分３１４およびＱ成分３１５を表す。このように、これらの位相調整されたＩ成分およびＱ成分は、複数のＰＮ符号も残留搬送波位相も有しない。これらのＩ成分およびＱ成分は、一般に複数のチャネルのそれぞれの大きさの判定に用いられる。このような複数の判定は、図３のプロセッサ３０６などの１つのプロセッサによって行いうる。
【００６７】
複数の乗算器、複数のラッチ、複数の減算器、および複数の加算器として表されているが、当業者は、本発明の範囲内で複数の要素の他の複数の組み合わせを使用しうることを容易に認識されるはずである。たとえば、４つの乗算器の代わりに、単一の乗算器を使用してもよい。この場合は、このような１つの乗算器への複数の入力を多重化してもよい。
【００６８】
図５は、本発明の別の実施形態における１つのシステム５００の１つのブロック図を示す。この実施形態において、システム５００は、図３の乗算器３０９−Ｉ、乗算器３０９−Ｑ、およびウォルシュシーケンス発生器３０４の代わりに、１つの高速ウォルシュ変換５０１を使用している。
【００６９】
位相調整は、図３と同様に位相補償器３０３によって行われる。ただし、この実施形態において、高速ウォルシュ変換５０１は複数のウォルシュ符号を取り込むことができるので、乗算器３０９−Ｉおよび乗算器３０９−Ｑによって行われていた乗算処理を１つのマトリクス計算によって高速化しうる。
【００７０】
このような１つのウォルシュ変換５０１の使用は、米国特許第６０／４１８，１８７号仮出願（２００２年１０月１５日提出）に開示されている。
【００７１】
図６は、本発明の１つの方法の実施形態６００の一例の１つのフローチャートを示す。この実施形態において、１つの信号の位相は、１つのＱＰＳＫ信号のＩ成分およびＱ成分など、信号の第１成分および第２成分のさまざまな積を用いて調整される。
【００７２】
各成分の位相調整は、要素６０１および要素６１１において行われる。要素６０１および要素６１１には、このような位相調整された成分を用意するための複数の特徴がそれぞれ追加されている。位相調整された第１成分を生成するステップ（すなわち、要素６０１）では、要素６０２において、信号のフィルタ処理されていない１つの第１成分にその信号のフィルタ処理された１つの第１成分が掛けられる。また、要素６０３において、信号のフィルタ処理されていない１つの第２成分にその信号のフィルタ処理された１つの第２成分が掛けられる。次に要素６０４において、要素６０２および要素６０３のそれぞれの積が組み合わされて、位相調整された１つの第１成分が生成される。このような組み合わせを行う１つのステップに、複数の積を加算して図４の等式５に示されるような１つの成分を生成するステップを含めてもよい。
【００７３】
同様に、要素６１１では、要素６１２において、信号のフィルタ処理されていない第２成分にフィルタ処理された第１成分を掛け、要素６１３において、信号のフィルタ処理されていない第１成分にフィルタ処理された第２成分を掛ける。
【００７４】
次に要素６１４において、これら２つの積が組み合わされ、位相調整された１つの第２成分が生成される。要素６０４および要素６１４で用意された２つの位相調整された成分から、位相調整された１つの信号ができる。たとえば、第１成分がＱＰＳＫ信号の１つのＩ成分を表し、第２成分がＱＰＳＫ信号の１つのＩ成分を表すとすると、位相調整されたＩ成分およびＱ成分によって位相を確定しうる１つの信号が用意され、これによって１つの原パイロット信号が１つの所望の象限に位相調整される。
【００７５】
一実施形態において、本方法は、位相調整されたＩ成分およびＱ成分に１つまたは複数の符号シーケンスを組み合わせる１つの要素を含む。このような複数の符号シーケンスは、信号内の１つまたは複数のチャネルを検出するために使われる複数のウォルシュ符号を含みうる。
【００７６】
このようなチャネル検出は、１つのＣＤＭＡ携帯電話システム内で、特に携帯電話などの１つの加入者装置で使用すると都合がよい。
【００７７】
好適な一実施形態においては、乗算を行う複数の要素が同期的に実行される。ただし、本発明はこの乗算の実行順序に限定されるものではない。たとえば、乗算は１つの時間多重方式で行ってもよく、この場合は乗算が完了するまで複数の積を記憶しておく。さらに、この好適な実施形態においては、サンプルごとに乗算が実行される。ただし、他の複数の実施形態においては、第１成分および第２成分の複数の異なるセクションの位相調整が同時に行われるように、データの１つの所定長の登録を含んでもよい。
【００７８】
これら複数の実施形態は、ＣＤＭＡ２０００方式または他の複数のＣＤＭＡ方式に限定されるものではなく、ＰＳＫを使用するどのようなシステムでも使用しうる。たとえば、上記複数の実施形態は、干渉抑圧のためのチャネル推定、複数のウォルシュ符号の存在を判定するためのデータテスト、および／または複数のチャネルのデータの同時復調など、ＰＳＫの複数の用途に使用しうる。
【００７９】
言うまでもないが、本発明の上記複数の実施形態はさまざまな方法で実現しうる。たとえば、上記複数の実施形態は、ソフトウェア、ファームウェア、ハードウェア、またはこれらの任意の組み合わせによって実現しうる。当業者は、ソフトウェア、ファームウェア、ハードウェア、およびこれらのさまざまな組み合わせに精通している。したがって、当業者にとっては、このような複数の実現方法は設計選択上の１つの問題であり、どのような特定の実現方法にも限定すべきではないことを容易に認識されるはずである。
【００８０】
本発明を複数の図面および上記説明において図示および詳述してきたが、このような図示および説明は典型例であり、限定的性質のものではないと考えられるべきである。したがって、好適な実施形態およびこれを多少変更したものだけが図示および説明されているのであり、本発明の精神の範囲内に含まれるあらゆる変更および修正はすべて保護されるべきものであることを理解されるべきである。
【図面の簡単な説明】
【００８１】
【図１】従来技術の１つのシステムの１つのブロック図を示す。
【図２】本発明の一実施形態における１つのシステムの１つのブロック図を示す。
【図３】本発明の別の実施形態における１つのシステムの１つのブロック図を示す。
【図４】本発明の一実施形態における１つの位相補償器の１つのブロック図を示す。
【図５】本発明の別の実施形態における１つのシステムの１つのブロック図を示す。
【図６】本発明の１つの方法の一実施形態の一例の１つのフローチャートを示す。
【符号の説明】
【００８２】
１００  従来技術のシステム
１０２  ＱＰＳＫ逆拡散器
１０４−Ｉ  フィルタ
１０４−Ｑ  フィルタ
２００  本発明の一実施形態によるシステム
２０１  位相補償器
２０２  検出器
【図１】
2006503499.tif 000003
【図２】
2006503499.tif 000004
【図３】
2006503499.tif 000005
【図４】
2006503499.tif 000006
【図５】
2006503499.tif 000007
【図６】
2006503499.tif 000008
【国際調査報告】
2006503499.tif 000009
2006503499.tif 000010